(57)【要約】      （修正有）【課題】角度調整のための回転機構を備え、かつ、見栄えの悪化が抑制できる光ビーコンユニットを提供する。【解決手段】基板３０と、インナーベース４０と、ベース６０と、ケースと、ケーブルと、ケース、基板３０、インナーベース４０を一体的に、ベースに対して相対回転させる回転機構とを備えた光ビーコンユニット１であって、ケースに形成され、ケースが回転することで、ケーブルが嵌り込んだ嵌合位置とベースよりも上の位置である離隔位置とが可能である切り欠き部と、切り欠き部を塞ぐ目隠し部材１１０と、回転機構の回転に基づいて、目隠し部材１１０を、低壁部６０３に対して接近離隔する方向に移動させる移動部とを備え、移動部は、切り欠き部が嵌合位置にあるときには目隠し部材１１０を切り欠き部から離隔させ、切り欠き部が離隔位置にあるときには目隠し部材１１０を切り欠き部を塞ぐ位置とする。【選択図】図１４
2018079803.tif 000002
【特許請求の範囲】
【請求項１】
電子部品（２０）が搭載された基板（３０）と、
前記基板を収容するインナーベース（４０）と、
前記インナーベースを収容するベース（６０）と、
赤外線透過性材料製であり、前記ベースと嵌り合い、前記基板およびインナーベースを収容する収容空間を形成するケース（１０）と、
前記ベースから突き出すケーブル（８０）と、
前記ケース、前記基板、前記インナーベースを一体的に、前記ベースに対して相対回転させる回転機構（９０）とを備えた光ビーコンユニットであって、
前記ケースに形成され、前記回転機構により前記ケースが前記ベースに対して相対回転することで、前記ケーブルが嵌り込んだ嵌合位置と、前記ベースよりも上の位置である離隔位置とが可能である切り欠き部（１３）と、
前記切り欠き部を塞ぐ目隠し部材（１１０、１１１０、２１１０）と、
前記回転機構の回転に基づいて、前記目隠し部材を、前記ベースの前記ケーブルが突き出している壁部（６０３）に対して接近離隔する方向に移動させる移動部（１２０、１１２０、２１２０）とを備え、
前記移動部は、前記切り欠き部が前記嵌合位置にあるときには前記目隠し部材を前記切り欠き部から離隔させ、前記切り欠き部が前記離隔位置にあるときには前記目隠し部材を前記切り欠き部を塞ぐ位置とする光ビーコンユニット。
【請求項２】
請求項１において、
前記移動部は、
前記ベースに固定されて、前記目隠し部材を、前記ベースの前記ケーブルが突き出している壁部から離隔する方向に付勢するバネ部（１２１）と、
前記基板および前記インナーベースを含む内部ユニット（５０）の一部であり、前記目隠し部材に接しており、前記切り欠き部が前記離隔位置に向かう方向に前記基板および前記インナーベースが回転することで、前記目隠し部材を前記切り欠き部を塞ぐ位置まで押し出す押出面（１２５）と、を備える光ビーコンユニット。
【請求項３】
請求項２において、
前記目隠し部材に連結されて、前記目隠し部材の移動方向に対して交差する方向に突き出す突起部（１２３）と、
前記突起部を収容し、前記突起部を、前記目隠し部材の移動方向に案内するリング形状のガイド（１２４）とを備え、
前記ガイドは、前記目隠し部材が前記切り欠き部を塞ぐ方向に移動するほど、前記突起部の移動方向に垂直な方向の長さが短くなっている光ビーコンユニット。
【請求項４】
請求項２または３において、
前記ケースは、その内側面に、前記目隠し部材を前記切り欠き部から離隔する方向に押す押出用リブ（１２６）を備え、
前記押出用リブは、前記切り欠き部が前記嵌合位置から前記離隔位置へ移動するまでの間に前記目隠し部材に接し、かつ、前記切り欠き部が前記嵌合位置になるまで前記ケースが回転することで、前記目隠し部材を前記切り欠き部から離隔する方向に押す、光ビーコンユニット。
【請求項５】
請求項１において、
前記目隠し部材（１１１０）は、一端が前記ベースにおいて前記切り欠き部に対向する位置に固定されており、前記ベース側の端を支点として他方の端が前記切り欠き部に対して接近離隔する方向に揺動可能になっており、
前記移動部（１１２０）は、
一端が、前記目隠し部材の前記ベース側とは反対側の端に連結され、他方の端が、前記インナーベースおよび前記基板を含む内部ユニットの端面に連結された中間リンク（１１２２）を備え、
前記中間リンクと前記回転機構の回転軸（４１）との間が原動節となり、前記目隠し部材が従動節となる４節リンク機構により、前記目隠し部材を移動させる光ビーコンユニット。
【請求項６】
請求項１において、
前記移動部（２１２０）は、
前記目隠し部材を、前記ベースの前記ケーブルが突き出している前記壁部に対して接近離隔する方向に案内するスライダ（２１２１）と、
一端が前記スライダに連結され、他方の端が前記インナーベースの端面に連結された連接棒（２１２２）とを備え、
前記連接棒と前記回転機構の回転軸（４１）との間がクランクとなる、スライダクランク機構により前記目隠し部材を移動させる光ビーコンユニット。
【請求項７】
請求項１〜６のいずれか１項において、
前記回転機構は、
前記インナーベースの回転角度を、予め定められた数の複数の規定回転角度に位置させる機構であり、
前記インナーベースに形成された複数の内側凸部（４２ａ、４２ｂ）と、その内側凸部に隣接して形成された内側凹部（４３）とを備えるとともに、前記ベースに形成されたベース凸部（６１０）を備え、
前記インナーベースの回転角度として、前記規定回転角度の一つと、当該規定回転角度に隣接する前記規定回転角度との間に、前記内側凸部と前記ベース凸部の互いの頂点が接する回転角度があり、且つ、
前記ベースには、前記ベース凸部に隣接してスリット（６１１）が形成されている光ビーコンユニット。
【請求項８】
請求項１〜７のいずれか１項において、
前記ベースを介して前記インナーベースと嵌り合うリテーナ（７０）を備え、
前記リテーナは、ロック用凸部（７１）を備え、
前記インナーベースは、前記ロック用凸部と嵌合する複数のロック用凹部（４４）を備え、
さらに、前記リテーナは、前記ロック用凸部と前記ロック用凹部とが嵌合した状態で、前記ロック用凸部が前記ロック用凹部から抜け出る方向へ前記リテーナが移動することを防止するロック爪（７６）を備え、
前記ベースは、前記リテーナの前記ロック爪と係合するロック爪受部（６１２）を備える光ビーコンユニット。
【請求項９】
請求項８において、
前記リテーナは、前記ロック爪が前記ベースの前記ロック爪受部と係合していない状態で、前記リテーナが前記ベースから抜け出る方向へ移動したときに、前記リテーナが前記ベースから抜け出ることを防止する抜け防止爪（７７）を備え、
前記ベースは、前記抜け防止爪と係合する抜け防止爪受部（６１３）を備える光ビーコンユニット。
【請求項１０】
請求項９において、
前記抜け防止爪と前記抜け防止爪受部とが係合している状態では、前記リテーナは、前記ベースから抜け落ちる方向への移動は防止される一方、反対方向への移動は可能であり、
前記リテーナは、前記抜け防止爪と前記抜け防止爪受部とが係合している状態において、前記抜け防止爪と前記抜け防止爪受部とが離隔する方向へ前記リテーナが移動する際に抗力を発生させるための仮固定爪（７８）を備え、
前記ベースは、前記抜け防止爪と前記抜け防止爪受部とが係合している状態において、前記仮固定爪と係合する仮固定爪受部（６１４）を備える光ビーコンユニット。
【請求項１１】
請求項８〜１０のいずれか１項において、
前記リテーナが備える前記ロック用凸部の先端面（７１ａ）の縁、および、前記インナーベースの前記ロック用凹部の開口縁（４４ａ）が、Ｒ形状になっている光ビーコンユニット。
【請求項１２】
請求項１〜１１のいずれか１項において、
前記ケーブルは、シース（８２）を備えており、
前記シースは、前記インナーベースの前記基板の裏側に位置する部分において前記インナーベースに固定されており、且つ、屈曲部（８２ａ）が形成されており、前記インナーベースに固定されている部分は、前記屈曲部よりも先端側である光ビーコンユニット。
【発明の詳細な説明】
【技術分野】
【０００１】
本発明は、光ビーコンユニットに関し、特に、角度調整のための回転機構を備える光ビーコンユニットに関する。
【背景技術】
【０００２】
車に搭載される光ビーコンユニットは、通信エラーを少なくするために、路側機である光ビーコンに対して、できるだけ正対することが好ましい。一方で、後付けの光ビーコンユニットは種々の車両に搭載されるので、車両により光ビーコンユニットが設置される面の傾斜が異なる。
【０００３】
そこで、光ビーコンユニットを車両のダッシュボード上面などの設置面にそのまま設置すると、アンテナの角度が適切な角度とならない場合に、別部品の角度調整ステーを光ビーコンユニットと設置面との間に配置して角度を調整することが知られている。
【０００４】
しかし、角度調整ステーを用いると、角度調整ステーを含めた光ビーコンユニット全体の高さ寸法が増加して、見栄えが悪化する。
【０００５】
アンテナの角度を調整する他の手段として、特許文献１に記載されているように、角度調整のための回転機構を備えた光ビーコンユニットが知られている。
【先行技術文献】
【特許文献】
【０００６】
【特許文献１】特開２０００−１３４０１７号公報
【発明の概要】
【発明が解決しようとする課題】
【０００７】
特許文献１に記載された光ビーコンユニットは、アンテナ本体と固定フレームとの間に隙間がある。よって、特許文献１に記載された光ビーコンも見栄えが悪い。そこで、ユニット全体をケースで覆うことが考えられる。
【０００８】
この場合、ケースを上下に分け、上ケースを下ケースに対して相対回転可能にすることで角度調整を行う。なお、以下、上ケースを単にケースと記載し、下ケースをベースと記載する。
【０００９】
光ビーコンユニットからはケーブルが延びている。ケースとベースとを備える構造では、ベースからケーブルが延びることになる。回転機構によりケースの角度を調整する構造の場合、ベースからケーブルが延びているケースの壁部が、ケースの角度が変化してもケーブルと干渉しないように、その壁部に切り欠き部を設ける必要がある。
【００１０】
切り欠き部が塞がれていない場合も見栄えがよくない。そこで、何らかの部材で切り欠き部を塞ぐことが好ましい。切り欠き部を塞ぐ部材を、以下、目隠し部材とする。
【００１１】
常に切り欠き部を塞ぐように目隠し部材を設けてしまうと、ケースの角度変化により、目隠し部材がケースに干渉してしまう恐れがあるので、常に切り欠き部を塞ぐように目隠し部材を設けることはできない。
【００１２】
本発明は、この事情に基づいて成されたものであり、その目的とするところは、角度調整のための回転機構を備え、かつ、見栄えの悪化が抑制できる光ビーコンユニットを提供することにある。
【課題を解決するための手段】
【００１３】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【００１４】
上記目的を達成するための本発明は、
電子部品（２０）が搭載された基板（３０）と、
基板を収容するインナーベース（４０）と、
インナーベースを収容するベース（６０）と、
赤外線透過性材料製であり、ベースと嵌り合い、基板およびインナーベースを収容する収容空間を形成するケース（１０）と、
ベースから突き出すケーブル（８０）と、
ケース、基板、インナーベースを一体的に、ベースに対して相対回転させる回転機構（９０）とを備えた光ビーコンユニットであって、
ケースに形成され、回転機構によりケースがベースに対して相対回転することで、ケーブルが嵌り込んだ嵌合位置と、ベースよりも上の位置である離隔位置とが可能である切り欠き部（１３）と、
切り欠き部を塞ぐ目隠し部材（１１０、１１１０、２１１０）と、
回転機構の回転に基づいて、目隠し部材を、ベースのケーブルが突き出している壁部（６０３）に対して接近離隔する方向に移動させる移動部（１２０、１１２０、２１２０）とを備え、
移動部は、切り欠き部が嵌合位置にあるときには目隠し部材を切り欠き部から離隔させ、切り欠き部が離隔位置にあるときには目隠し部材を切り欠き部を塞ぐ位置とする光ビーコンユニットである。
【００１５】
本発明では、切り欠き部を塞ぐ目隠し部材を備えるとともに、目隠し部材を、ベースのケーブルが突き出している壁部に対して接近離隔する方向に移動させる移動部を備えている。切り欠き部がケーブルと嵌合している嵌合位置にあるときは、切り欠き部はケーブルおよびケーブルが突き出しているベースにより塞がれる。したがって、切り欠き部が嵌合位置にあるときは目隠し部材で切り欠き部を目隠しする必要がない。それだけではなく、切り欠き部が嵌合位置にあるときは、目隠し部材がケースに干渉しないようにする必要がある。
【００１６】
そこで、本発明では、移動部により、切り欠き部が嵌合位置にあるときには目隠し部材を切り欠き部から離隔させる。これにより、切り欠き部が嵌合位置にあるときに目隠し部材がケースに干渉してしまうことを回避できる。
【００１７】
一方、移動部は、切り欠き部がベースよりも上の位置である離隔位置にあるときは目隠し部材を切り欠き部を塞ぐ位置とする。よって、切り欠き部がベースにより塞がれていないときは、目隠し部材により切り欠き部の部分を塞ぐことができる。したがって、見栄えの悪化が抑制できる。
【図面の簡単な説明】
【００１８】
【図１】第１実施形態の光ビーコンユニット１の分解斜視図である。
【図２】光ビーコンユニット１を組み立てられた状態で示す斜視図である。
【図３】光ビーコンユニット１を上方から見た図である。
【図４】光ビーコンユニット１の背面図である。
【図５】図３のＶ−Ｖ線断面図である。
【図６】図３のＶＩ−ＶＩ線断面図である。
【図７】図６のロック機構９１の付近を拡大して示す図である。
【図８】リテーナ７０の斜視図である。
【図９】リテーナ７０が最もベース６０に入り込んだ状態におけるリテーナ７０の付近の断面図である。
【図１０】抜け防止爪７７と抜け防止爪受部６１３とが係合した状態におけるリテーナ７０の付近の断面図である。
【図１１】目隠し機構１００の付近を上方から見た図である。
【図１２】図１１のXII矢視図である。
【図１３】図１１とは基板３０の角度が異なる状態で目隠し機構１００の付近を上方から見た図である。
【図１４】ケース１０を取り外した状態の光ビーコンユニット１の側面図である。
【図１５】光ビーコンユニット１の押出用リブ１２６の付近を示す断面図である。
【図１６】ケーブル８０が取り付けられた状態の基板３０を表面から見た図である。
【図１７】ケーブル８０が取り付けられた状態の基板３０を裏面から見た図である。
【図１８】第２実施形態の光ビーコンユニット１０００の側面図である。
【図１９】第２実施形態の移動部１１２０の構成を説明する図である。
【図２０】目隠し部材１１１０がベース６０の内側へ倒れた状態を示す図である。
【図２１】第３実施形態の移動部２１２０の構成を説明する図である。
【発明を実施するための形態】
【００１９】
＜第１実施形態＞
［全体構成］
以下、本発明の実施形態を図面に基づいて説明する。図１に、第１実施形態の光ビーコンユニット１の分解斜視図を示している。図１に示すように、光ビーコンユニット１は、ケース１０、電子部品２０、基板３０、インナーベース４０、ベース６０、リテーナ７０、ケーブル８０を備える。
【００２０】
ケース１０は、全体が赤外線透過性材料性である。ケース１０の形状は、下側に開口する浅型の箱型形状である。具体的な構成として、ケース１０は、路側に備えられる光ビーコンが送信する光が透過する部分であって、略四角形状の上板部１１と、その上板部１１の４つの辺とそれぞれ連結する４つの側壁部１２とを備える。なお、４つの側壁部１２のうち２つは、図１には示されていない。側壁部１２が４つあることは、図３などに示している。４つの側壁部１２のうち、ケーブル８０が突き出している側の側壁部１２には、切り欠き部１３が形成されている。
【００２１】
電子部品２０は、受光器、増幅器などを含み、赤外線の信号を受信し、受信した信号を増幅等して、ナビゲーション装置などに送信するための種々の部品である。電子部品２０は基板３０に取り付けられている。基板３０はインナーベース４０に収容されている。つまり、インナーベース４０と基板３０と電子部品２０は一体化されている、内部ユニット５０は、この一体化されたインナーベース４０、基板３０、電子部品２０を意味する。
【００２２】
ベース６０は、不透明の樹脂製である。また、インナーベース４０およびリテーナ７０も不透明の樹脂製である。ベース６０は、底部６０１と、底部６０１から立ち上がる一対の横壁部６０２と、底部６０１から立ち上がり、横壁部６０２とも連結する低壁部６０３、高壁部６０４を備える。高壁部６０４の高さは横壁部６０２の高さとほぼ同じであるのに対して、低壁部６０３の高さは高壁部６０４の高さよりも低くなっている。
【００２３】
これら底部６０１、横壁部６０２、低壁部６０３、高壁部６０４を備えるので、ベース６０は、上側に開口する収容空間を形成する。このベース６０とケース１０とが嵌め合わせられると、密閉ではないものの閉じた収容空間が形成され、その収容空間に内部ユニット５０が収容される。また、ケーブル８０の先端部分も、この収容空間に収容される。低壁部６０３には、ケーブル８０を通すためのケーブル穴６０７が形成されている。
【００２４】
インナーベース４０は、両端部に回転軸４１が突き出している。この回転軸４１は、ベース６０の横壁部６０２に形成された軸受穴６０５に嵌め入れられる。これにより、内部ユニット５０はベース６０に対して、回転軸４１の軸周りに相対回転する。また、ケース１０がベース６０に嵌め合わせられた状態では、ケース１０と内部ユニット５０も嵌合しており、ケース１０を介して内部ユニット５０を回転させる力が加えられる。よって、ケース１０と内部ユニット５０がベース６０に対して相対回転する。
【００２５】
なお、軸受穴６０５および回転軸４１は、内部ユニット５０およびケース１０を、ベース６０に対して相対回転させる回転機構９０の要素の一部であり、回転軸４１は、内部ユニット５０およびケース１０を回転させる回転軸となる。
【００２６】
リテーナ７０は、ベース６０の底部６０１に形成されている貫通穴６０６を貫通して、インナーベース４０と嵌り合うことで、内部ユニット５０およびケース１０の回転を阻止する部材である。リテーナ７０の形状、および、回転を阻止する機構は後述する。
【００２７】
ケーブル８０は、複数の線心８１がシース８２により被覆された構成である。線心８１の先端は、基板３０に半田付けされている。なお、基板３０の裏面は、基板３０においてベース６０の底部６０１と対向している面であり、基板３０の表面は、基板３０においてケース１０の上板部１１と対向している面である。
【００２８】
両面テープ２は、光ビーコンユニット１が組み立てられた状態で、ベース６０の底部６０１に貼り付けられる。両面テープ２の、底部６０１に貼り付けられていない側の面が、ダッシュボードの表面などに貼り付けられることで、光ビーコンユニット１は車両に固定される。
【００２９】
図２に示すように、光ビーコンユニット１が組み立てられた状態では、ケーブル８０はベース６０から突き出している。また、図２では、切り欠き部１３が形成されている側壁部１２は、ベース６０の低壁部６０３と部分的に対向している。対向する面積は、ケース１０の回転角度により変化し、ケーブル８０が切り欠き部１３の底に当たるまでケース１０が回転した状態が、切り欠き部１３が形成されている側壁部１２と低壁部６０３の対向面積が最も大きくなる。ケース１０がその回転位置から、ケーブル８０が切り欠き部１３から抜け出る方向に移動すると、回転量に応じた長さの隙間が、ケーブル８０と切り欠き部１３の底との間に生じる。
【００３０】
図３は、光ビーコンユニット１を上方から見た図であり、光ビーコンユニット１は、電子部品２０の一つである受光部が最も光ビーコンに正対できるように、内部ユニット５０およびケース１０の回転角度が調整される。
【００３１】
光ビーコンユニット１の背面図である図４に示すように、リテーナ７０は、光ビーコンユニット１の背面に差し込まれている。ベース６０の底部６０１には、リテーナ７０が差し込まれた状態で、ユーザの指を入れることができるようにユニット内部方向に凹んだ空間である２つの指逃げ部６０８、６０９が形成されている。
【００３２】
［角度調整機構］
図５は、図３のＶ−Ｖ線断面図である。図５（Ａ）、（Ｂ）、（Ｃ）の違いは、ベース６０に対するケース１０の相対回転角度である。図５（Ａ）はケース１０が最も寝た状態であり、図５（Ｃ）はケース１０が最も立った状態であり、図５（Ｂ）はそれらの中間の状態である。なお、ケース１０が最も寝た状態とは、ケース１０の上板部１１とベース６０の底部６０１との角度が最も小さくなった状態である。反対に、ケース１０が最も立った状態は、ケース１０の上板部１１とベース６０の底部６０１との角度が最も大きくなった状態である。図５（Ｃ）には示していないが、ケース１０が最も立った状態では、切り欠き部１３の底にケーブル８０が接している。このときの切り欠き部１３の位置が請求項の嵌合位置である。
【００３３】
光ビーコンユニット１は、ベース６０に対するケース１０、インナーベース４０、基板３０の相対角度を、図５（Ａ）、（Ｂ）、（Ｃ）に示す３つの規定回転角度に調整可能である。インナーベース４０には、図５に示すように、ベース６０の方向に突き出す２つの凸部（以下、内側凸部）４２ａ、４２ｂが形成されている。これら２つの内側凸部４２ａ、４２ｂが形成されていることにより、２つの内側凸部４２ａ、４２ｂの間には、２つの内側凸部４２ａ、４２ｂに隣接して凹部（以下、内側凹部）４３が形成されている。
【００３４】
また、ベース６０には、底部６０１に、インナーベース４０の方向に突き出す凸部（以下、ベース凸部）６１０が形成されている。図５（Ａ）に示す状態では、ベース凸部６１０は内側凸部４２ａの、内側凹部４３とは反対側の側面に接している。図５（Ｂ）に示す状態では、ベース凸部６１０は内側凹部４３と嵌合している。図５（Ｃ）に示す状態では、ベース凸部６１０は内側凸部４２ｂの、内側凹部４３とは反対側の側面に接している。
【００３５】
図５（Ｂ）に示す状態から図５（Ａ）に示す状態までインナーベース４０が回転する過程で、インナーベース４０の回転角度として、内側凸部４２ａの頂点とベース凸部６１０の頂点とが接する回転角度がある。
【００３６】
したがって、図５（Ｂ）に示す状態から図５（Ａ）に示す状態までインナーベース４０が回転するためには、内側凸部４２ａがベース凸部６１０を押圧してベース６０の底部６０１を撓ませる必要がある。これとは反対方向、すなわち、図５（Ａ）に示す状態から図５（Ｂ）に示す状態までインナーベース４０を回転させる場合にも、内側凸部４２ａがベース凸部６１０を押圧してベース６０の底部６０１を撓ませる必要がある。
【００３７】
図５（Ｂ）に示す状態から図５（Ｃ）に示す状態までインナーベース４０が回転する過程でも、インナーベース４０の回転角度として、内側凸部４２ｂの頂点とベース凸部６１０の頂点とが接する回転角度がある。したがって、図５（Ｂ）、（Ｃ）の一方に示す状態から図５（Ｂ）、（Ｃ）の他方に示す状態までインナーベース４０を回転させる場合にも、内側凸部４２ｂがベース凸部６１０を押圧してベース６０の底部６０１を撓ませる必要がある。
【００３８】
これらのことから、ケース１０の回転角度が小さな力で変化してしまうことが抑制され、その結果、ケース１０の回転角度が上記３つの規定回転角度に制限される。規定回転角度に制限するための構成は、内側凸部４２ａ、４２ｂ、内側凹部４３、ベース凸部６１０のみではない。後述するロック機構９１により、ケース１０の回転角度は３つの規定回転角度のいずれかの角度で固定される。
【００３９】
ところで、ベース６０の底部６０１を撓ませるために必要となる力が大きすぎると、回転角度の調整が困難になる。そこで、底部６０１には、ベース凸部６１０に隣接して、底部６０１を貫通するスリット６１１が形成されている。スリット６１１が形成されていることにより、スリット６１１の周辺は、底部６０１の厚さ方向に撓みやすくなる。よって、ケース１０の回転角度を変更する際に大きな力を加える必要がない。
【００４０】
図６は、図３のＶＩ−ＶＩ線断面図である。インナーベース４０には、３つのロック用凹部４４が形成されている。一方、リテーナ７０には、ロック用凸部７１が形成されている。３つのロック用凹部４４は、それぞれ、インナーベース４０が図５（Ａ）、（Ｂ）、（Ｃ）の位置にあるときにロック用凸部７１と嵌合する。ロック用凹部４４とロック用凸部７１はロック機構９１を構成しており、ロック用凹部４４とロック用凸部７１とが嵌合した状態では、ベース６０に対するインナーベース４０の相対回転が阻止される。
【００４１】
図７に示すように、ロック用凸部７１の先端面７１ａの縁すなわち、先端面７１ａにおいて側面７１ｂとの境界部分はＲ形状になっている。Ｒ形状は、曲面形状とも言うことができ、図に示すように、断面形状では円弧状である。また、インナーベース４０のロック用凹部４４の開口縁４４ａもＲ形状になっている。これにより、ロック用凸部７１がロック用凹部４４に嵌め入れられる際に、それらの相対位置が、それらが完全に対向する位置から多少ずれていたとしても、ロック用凸部７１の先端はロック用凹部４４の内部に入りやすくなっている。
【００４２】
加えて、ロック用凹部４４は、底に向かうほど断面積が小さくなるテーパ形状である。ロック用凸部７１の先端がロック用凹部４４の内部に入った後は、このテーパ形状によりインナーベース４０の角度が規定回転角度に矯正される。
【００４３】
また、インナーベース４０の外周面は断面が円弧状になっており、ロック用凸部７１の側面７１ｂの傾斜は、その側面７１ｂの基端部における、インナーベース４０の外周面の接線Ｌに対して略垂直になる傾斜となっている。これにより、ロック用凸部７１とロック用凹部４４とが嵌合した状態でインナーベース４０に回転方向の力が加えられても、ロック用凹部４４からロック用凸部７１が外れにくくなっている。
【００４４】
図８はリテーナ７０の斜視図である。リテーナ７０は、平板状のベース板部７２を備える。このベース板部７２から、前述したロック用凸部７１が突き出している。加えて、ベース板部７２からは、一対の短棒部７３、一対の長棒部７４が突き出している。また、ベース板部７２の１つの辺にはＵ字状バネ部７５が結合している。
【００４５】
短棒部７３はベース板部７２のＵ字状バネ部７５が結合している側とは反対側の縁の両角部に結合しており、ベース板部７２に対して垂直に突き出した棒状体である。この短棒部７３の先端には、ロック爪７６が形成されている。また、Ｕ字状バネ部７５の外側面７５ａにも、ロック爪７６が形成されている。短棒部７３に形成されたロック爪７６とＵ字状バネ部７５に形成されたロック爪７６は、短棒部７３の軸方向における位置は互いに同じである。
【００４６】
一対の長棒部７４は、短棒部７３よりも長い棒状体である。一対の長棒部７４のうち１つはベース板部７２の、一対の短棒部７３が突き出している辺において、それら一対の短棒部７３の中間位置に位置している。他方の長棒部７４はＵ字状バネ部７５の付近に位置している。一対の長棒部７４の先端には抜け防止爪７７が形成されている。加えて、一対の長棒部７４には、抜け防止爪７７よりもベース板部７２に近い位置に仮固定爪７８が形成されている。
【００４７】
Ｕ字状バネ部７５は、両端のうちの一方がベース板部７２の１つの辺に結合している。他方の端は自由端であり、ユーザの指によりロック解除のための操作力が加えられる操作用端部７９である。
【００４８】
図９は、リテーナ７０が最もベース６０に入り込んだ状態において、リテーナ７０の一対の抜け防止爪７７を通り、ベース板部７２に垂直な平面で光ビーコンユニット１を切断した場合におけるリテーナ７０の付近を示す断面図である。リテーナ７０が図９に示す位置にあるとき、図９には示されていないが、インナーベース４０のロック用凹部４４とリテーナ７０のロック用凸部７１とは嵌合状態にある。
【００４９】
図９に示す状態では、ロック爪７６が、ベース６０に形成されているロック爪受部６１２と係合している。これにより、リテーナ７０は、ベース６０から抜け出る方向への移動が抑制されている。
【００５０】
この図９に示す状態で、操作用端部７９は、ベース６０に形成されている指逃げ部６０８に位置している。また、リテーナ７０のベース板部７２の短棒部７３が形成されている側の端は、もう一方の指逃げ部６０９に位置している。よって、ユーザはリテーナ７０の両端を掴んでＵ字状バネ部７５を撓ませることができる。
【００５１】
Ｕ字状バネ部７５を撓ませることで、ロック爪７６とロック爪受部６１２との係合が解除されると、リテーナ７０はベース６０から離隔する方向に移動可能となる。図９に示す状態からリテーナ７０がベース６０から離隔する方向に移動していくと、図１０に示すように、抜け防止爪７７が、ベース６０に形成された抜け防止爪受部６１３と係合する。これにより、リテーナ７０が、それ以上、ベース６０から離隔する方向、すなわち、リテーナ７０が抜け落ちる方向に移動してしまうことが防止される。図９の状態から図１０の状態までのリテーナ７０の移動量は、ロック用凸部７１の高さ以上である。よって、図１０の状態では、ロック機構９１によるインナーベース４０のロックが解除された状態であるので、インナーベース４０の角度調整が可能な状態である。
【００５２】
また、この図１０に示す状態では、仮固定爪７８が、ベース６０に形成されている仮固定爪受部６１４と係合する。仮固定爪受部６１４は、リテーナ７０の移動方向に対して直交する方向に突き出す形状であり、図上下方向すなわちリテーナ７０の移動方向の中心部分が最も突き出し量が多く、そこから上下方向に離れるに従い、突き出し量が漸減する形状である。また、最大の突き出し量が仮固定爪７８の突き出し量と同程度である。
【００５３】
さらに、仮固定爪７８も、仮固定爪受部６１４と同様に、リテーナ７０の移動方向の中心部分が最も突き出し量が多く、そこから上下方向に離れるに従い、突き出し量が漸減する形状である。
【００５４】
抜け防止爪７７と抜け防止爪受部６１３とが係合している状態では、仮固定爪７８のリテーナ先端側の面が仮固定爪受部６１４と係合する。よって、仮固定爪７８と仮固定爪受部６１４との係合により、リテーナ７０が図１０の上方向に移動してしまうことが抑制される。また、リテーナ７０が図１０の下方向に移動してしまうことは、抜け防止爪７７と抜け防止爪受部６１３との係合により防止される。よって、図１０に示す状態では、リテーナ７０は、図１０の上下方向への移動が抑制される。これにより、角度調整中に、リテーナ７０が不用意に移動してしまい、角度調整作業がやりにくくなってしまうことが抑制される。
【００５５】
ただし、仮固定爪７８と仮固定爪受部６１４の形状は、図上下方向の中心が最も突き出し量が多く、そこから上下方向に離れるに従い、突き出し量が漸減する形状である。よって、仮固定爪７８と仮固定爪受部６１４との係合は、それらが離隔する方向へリテーナ７０が移動する際にある程度の抗力を発生させるけれども、ユーザが図１０の上方向にある程度の力を加えれば、リテーナ７０を上方向に移動させることができる。よって、角度調整作業が終了した後は、リテーナ７０により再びインナーベース４０の回転をロックさせることができる。
【００５６】
［目隠し構造］
次に、切り欠き部１３が形成されている部分に穴が空いているように見えないように、目隠しをする目隠し構造について説明する。
【００５７】
ケース１０の回転角度が図２に示した角度である場合、切り欠き部１３はベース６０の低壁部６０３により塞がれているので、切り欠き部１３の部分に穴があいているようには見えない。
【００５８】
しかし、ケース１０が図５（Ａ）の角度になると、ケース１０のケーブル８０が突き出している側壁部１２は、ベース６０の低壁部６０３と重ならない状態となる。つまり、切り欠き部１３はベース６０の低壁部６０３よりも上に位置する。切り欠き部１３のこの位置が請求項の離隔位置である。
【００５９】
切り欠き部１３がベース６０の低壁部６０３よりも上に位置するので、切り欠き部１３の部分を低壁部６０３で塞ぐことはできず、そのままでは、切り欠き部１３の部分に穴が空いたように見えてしまい、見栄えが低下する。そこで、本実施形態では、切り欠き部１３の部分を塞ぐ目隠し機構１００を備える。
【００６０】
目隠し機構１００を図１１〜図１４を用いて説明する。図１１は、ケース１０を取り外した状態で、光ビーコンユニット１の目隠し機構１００の付近を上方から見た図である。図１２は、図１１に示すXII矢視図である。目隠し機構１００は、目隠し部材１１０と、その目隠し部材１１０を移動させる移動部１２０とを備えた構成である。
【００６１】
移動部１２０は、樹脂バネ部１２１と、連結部１２２と、ボス部１２３と、ガイド１２４と、押出面１２５を備える。また、移動部１２０は、後述する押出用リブ１２６も備える。
【００６２】
樹脂バネ部１２１は樹脂製であり、板バネとして機能する。樹脂バネ部１２１は、一端がベース６０の低壁部６０３に固定され、他端が目隠し部材１１０に固定されている。目隠し部材１１０は、樹脂バネ部１２１に固定されることにより、図１１には図示していないケーブル８０の上方に位置する。ケーブル８０の上方は、ケース１０が組み付けられた場合には、切り欠き部１３と対向する位置である。目隠し部材１１０は、樹脂バネ部１２１により、低壁部６０３から離隔する方向に付勢されている。
【００６３】
図１２に示すように、連結部１２２は、低壁部６０３に対して接近離隔する方向に延びており、一端が目隠し部材１１０に連結され、他端にボス部１２３が形成されている。
【００６４】
ボス部１２３は請求項の突起部に相当しており、連結部１２２を介して目隠し部材１１０に連結されており、目隠し部材１１０の移動方向に対して交差する方向に突き出している。目隠し部材１１０の移動方向は、低壁部６０３に対して接近離隔する方向であり、ボス部１２３が連結部１２２から突き出している方向は、低壁部６０３に対して接近離隔する方向に対して略垂直であり、かつ、連結部１２２に対しても略垂直な方向である。
【００６５】
ガイド１２４は、ベース６０の横壁部６０２に形成されており、横長のリング形状をしている。ガイド１２４のリング形状の長手方向は、連結部１２２の長手方向に沿っている。また、ガイド１２４のリング形状は、低壁部６０３に近づくほど上下方向の長さが狭くなる形状である。
【００６６】
押出面１２５は、インナーベース４０の端面であり、ボス部１２３に接している。インナーベース４０が回転すると、押出面１２５の図１２の左右方向の位置も変化するので、押出面１２５に接しているボス部１２３およびそれに連結されている目隠し部材１１０も図１２の左右方向に位置が変化する。
【００６７】
図１２に示す状態では、目隠し部材１１０は低壁部６０３よりも図右側すなわちベース６０の内側に位置している。図１１、図１２の状態は図５（Ｃ）に対応している。つまり、基板３０およびインナーベース４０が最も立った状態であり、これらと一体に回転するケース１０も最も立った状態である。この状態では、インナーベース４０の複数の回転角度のうち、押出面１２５の位置は最もベース６０の内側に位置しており、目隠し部材１１０は低壁部６０３から最も離れた位置にある。
【００６８】
図１３は、図１１と同様に、ケース１０を取り外した状態で、光ビーコンユニット１の目隠し機構１００の付近を上方から見た図である。図１１との違いは、基板３０およびインナーベース４０の角度である。図１３は、基板３０およびインナーベース４０が最も寝た状態であり、図５（Ａ）に対応している。図１４は、図１３のXIV矢視図である。
【００６９】
図１３、図１４に示す状態では、インナーベース４０が最も寝た状態であるので、インナーベース４０の端面に形成されている押出面１２５は最も低壁部６０３に近づいている。そのため、ボス部１２３、連結部１２２を介して押出面１２５に押される目隠し部材１１０は、低壁部６０３の上方まで移動している。
【００７０】
図５（Ａ）に示すように、ケース１０が最も寝た状態では、ケーブル８０が突き出している側のケース１０の側壁部１２はベース６０の低壁部６０３と高さ方向の位置が重ならない。したがって、切り欠き部１３による穴はベース６０の低壁部６０３には塞がれない。しかし、目隠し部材１１０がベース６０の低壁部６０３の上方まで移動しており、この目隠し部材１１０により切り欠き部１３による穴が塞がれた状態、すなわち目隠しされた状態となっている。
【００７１】
ケース１０が最も寝た状態である図５（Ａ）に示す状態から、ケース１０が最も立った状態である図５（Ｃ）までケース１０が回転すると、図５（Ｃ）に示すように、ケース１０の上板部１１はケーブル８０の側ほど位置が低くなる。また、ベース６０の低壁部６０３と上板部１１との間の隙間は、目隠し部材１１０の上下方向長さよりも短い。そのため、目隠し部材１１０がベース６０の低壁部６０３の上方にあるとすれば、目隠し部材１１０がケース１０の上板部１１と干渉してしまう。
【００７２】
しかし、本実施形態では、ケース１０が図５（Ａ）に示す状態から図５（Ｃ）に示す状態まで回転すると、図１２に示すように、押出面１２５の位置が低壁部６０３から離隔する方向に移動することになる。この押出面１２５の移動により、目隠し部材１１０も低壁部６０３から離隔する方向に移動する。そのため、図５（Ｃ）に示すように、ケース１０が最も立った状態でも、目隠し部材１１０とケース１０の上板部１１とが干渉してしまうことを回避できる。
【００７３】
なお、樹脂バネ部１２１は、目隠し部材１１０を低壁部６０３から離隔する方向に付勢するために設けられているが、形状が細長いため、樹脂バネ部１２１のみでは目隠し部材１１０が上下方向にも移動可能である。
【００７４】
ガイド１２４とボス部１２３は目隠し部材１１０の上下方向の移動を規制するために設けられている。ガイド１２４は低壁部６０３に近づくほど上下方向の長さが狭くなっており、ガイド１２４により形成されているリンク形状の空間の低壁部６０３に近い側の端の上下方向の長さは、ボス部１２３の上下方向長さとほぼ一致する。そのため、目隠し部材１１０が押し出されて低壁部６０３の上方に位置した状態では、ガイド１２４とボス部１２３とにより、目隠し部材１１０の上下方向の位置も定まる。よって、目隠し部材１１０が上下方向にずれてしまい、切り欠き部１３の部分を目隠しできなくなってしまうことが抑制される。
【００７５】
さらに、移動部１２０は、図１５に示す押出用リブ１２６も備える。なお、図１５は、目隠し部材１１０を通る垂直断面で光ビーコンユニット１を切断した断面図である。押出用リブ１２６は、ケース１０の内側面において、側壁部１２と上板部１１との境界部分に形成されており、側壁部１２の内表面と上板部１１の内表面とにより形成される内表面の角に対して突き出している形状である。この形状により、押出用リブ１２６は、ケース１０が図１５における左回りに回転すると、すなわち、ケース１０が立つ方向に回転すると、目隠し部材１１０の外側面に接する。さらに、ケース１０が回転すると、目隠し部材１１０を図１５において右側、すなわち、目隠し部材１１０が低壁部６０３から離隔する方向に押すことになる。
【００７６】
この押出用リブ１２６の作用により、仮に、樹脂バネ部１２１がクリープ変形して付勢力が低下していたとしても、ケース１０を立つ方向に回転させた際に目隠し部材１１０を低壁部６０３から離隔する方向に移動させることができる。
【００７７】
図１６、図１７は、ケーブル８０の取付構造を示す図である。ケーブル８０の先端は、基板３０の裏側に位置している。複数の線心８１はシース８２から突き出しており、線心８１の先端は基板３０に固定されている。
【００７８】
シース８２の先端部は、インナーベース４０の裏面に固定されており、且つ、インナーベース４０に対向する部分と、インナーベース４０と対向しない部分との境界付近に屈曲部８２ａが形成されている。その屈曲部８２ａよりも先端側において、インナーベース４０に形成されたチャック４５により、ケーブル８０はインナーベース４０に固定されている。
【００７９】
［第１実施形態のまとめ］
この第１実施形態の光ビーコンユニット１は、切り欠き部１３を塞ぐ目隠し部材１１０と、目隠し部材１１０を低壁部６０３に対して接近離隔する方向に移動させる移動部１２０とを備えている。
【００８０】
図２に示す状態では、切り欠き部１３は、ベース６０の低壁部６０３により塞がれる。また、図２によりもケース１０がさらに立った状態であり、切り欠き部１３は嵌合位置にある図５（Ｃ）の状態でも、切り欠き部１３は、ベース６０の低壁部６０３により塞がれる。したがって、切り欠き部１３が嵌合位置にあるときは目隠し部材１１０で切り欠き部１３を目隠しする必要がない。それだけではなく、切り欠き部１３が嵌合位置にあるときは、目隠し部材１１０がケース１０に干渉しないようにする必要がある。
【００８１】
そこで、移動部１２０は、ケース１０と内部ユニット５０の回転により、目隠し部材１１０を低壁部６０３に対して接近離隔する方向に移動できるようになっており、切り欠き部１３が嵌合位置にあるときには、目隠し部材１１０を低壁部６０３から離隔させる。これにより、切り欠き部１３が嵌合位置にあるときに目隠し部材１１０がケース１０に干渉してしまうことを回避できる。
【００８２】
一方、移動部１２０は、切り欠き部１３が離隔位置にあるときは目隠し部材１１０を切り欠き部１３を塞ぐ位置とする。よって、切り欠き部１３がベース６０により塞がれていないときは、目隠し部材１１０により切り欠き部１３の部分を塞ぐことができる。したがって、見栄えの悪化が抑制できる。
【００８３】
また、本実施形態では、ボス部１２３とガイド１２４とにより、目隠し部材１１０が切り欠き部１３を塞ぐ方向に移動するのに従って、目隠し部材１１０の上下方向の位置の許容範囲が減少する。これにより、目隠し部材１１０が上下方向のずれてしまい、切り欠き部１３の部分を目隠しできないことが抑制される。
【００８４】
また、本実施形態では、ケース１０に押出用リブ１２６が形成されている。押出用リブ１２６は、切り欠き部１３が嵌合位置から離隔位置まで移動する間に、目隠し部材１１０に接して、目隠し部材１１０を低壁部６０３から離隔する方向に移動させる。この押出用リブ１２６を備えているので、仮に、樹脂バネ部１２１の付勢力が低下していたとしても、ケース１０を立つ方向に回転させた際に目隠し部材１１０を低壁部６０３から離隔する方向に移動させることができる。
【００８５】
また、本実施形態では、インナーベース４０に形成された内側凸部４２ａ、４２ｂ、内側凹部４３と、ベース６０に形成されたベース凸部６１０とにより、内部ユニット５０およびケース１０の回転角度を複数の規定回転角度に限定している。また、ベース凸部６１０に隣接してスリット６１１が形成されている。スリット６１１があることで、ベース凸部６１０の付近はベース６０の厚さ方向に撓みやすくなる。よって、ケース１０の回転角度を変更する際に大きな力を加える必要がなくなる。
【００８６】
また、インナーベース４０と嵌合して、インナーベース４０の回転を禁止するリテーナ７０を備えており、リテーナ７０がインナーベース４０と嵌合することにより、インナーベース４０が不用意に回転してしまうことを抑制できる。
【００８７】
また、リテーナ７０は、リテーナ７０がインナーベース４０と嵌合していない状態で、リテーナ７０がベース６０から抜け出ることを防止する抜け防止爪７７を備え、ベース６０には抜け防止爪７７と係合する抜け防止爪受部６１３が形成されている。よって、回転角度の調整のために、リテーナ７０とインナーベース４０との嵌合を解除したときに、リテーナ７０がベース６０から抜け落ちてしまうことが防止できる。
【００８８】
さらに、リテーナ７０は仮固定爪７８を備え、ベース６０は仮固定爪受部６１４を備える。これらは、抜け防止爪７７と抜け防止爪受部６１３とが係合している状態で係合し、抜け防止爪７７と抜け防止爪受部６１３とが離隔する方向へリテーナ７０が移動する際に抗力を発生させる。よって、角度調整の際に、リテーナ７０が不用意に移動してしまい、角度調整作業を阻害してしまうことを抑制できる。また、リテーナ７０が傾いてしまい、リテーナ７０のロック爪７６を係合する際に、リテーナ７０が斜めに挿入されていき、ロック爪７６の係合を阻害してしまうことを抑制できる。
【００８９】
また、ロック用凸部７１の先端面７１ａの縁と、インナーベース４０のロック用凹部４４の開口縁４４ａがＲ形状になっている。よって、ロック用凸部７１とロック用凹部４４の相対位置が、それらが完全に対向する位置から多少ずれていたとしても、ロック用凸部７１の先端はロック用凹部４４の内部に入りやすくなっている。
【００９０】
また、ケーブル８０が基板３０の裏側に配置されているので、光ビーコンユニット１の横方向の長さを小さくすることがでる。しかも、ケーブル８０のシース８２は屈曲部８２ａが形成されており、シース８２がインナーベース４０に固定されている部分は、屈曲部８２ａよりも先端側となっている。このような構成とすると、クランパーなどの追加部品がなくても、ケーブル８０が引っ張られた場合のシース８２のずれを抑制できる。追加部品を不要とできる点でも、光ビーコンユニット１を小型化できる。
【００９１】
＜第２実施形態＞
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００９２】
図１８に第２実施形態の光ビーコンユニット１０００の側面図を示している。図１８に示す状態は、ケース１０が取り除かれた状態である。第１実施形態の移動部１２０は、樹脂バネ部１２１による付勢力と、押出面１２５の移動とにより、目隠し部材１１０を低壁部６０３に接近離隔する方向に移動させる構成であった。
【００９３】
これに対して、第２実施形態の移動部１１２０は、目隠し部材１１１０を含んだ４節リンク機構により、その目隠し部材１１１０を移動させる。ベース１０６０の低壁部１６０３には、結合用部材１１２１が固定されている。ベース１０６０は、ガイド１２４が形成されていない他は、第１実施形態のベース６０と同じ構成でよい。
【００９４】
結合用部材１１２１は、目隠し部材１１１０をベース１０６０の低壁部１６０３に結合させるための部材である。この結合用部材１１２１は、低壁部１６０３においてケーブル８０の上方に取り付けられる。
【００９５】
結合用部材１１２１の上端に目隠し部材１１１０の一端が、結合用部材１１２１に対して折れ曲がり可能に結合している。結合用部材１１２１が低壁部１６０３においてケーブル８０の上方に取り付けられていることから、目隠し部材１１１０の結合用部材１１２１側の端は、切り欠き部１３に対向する位置に固定されていることになる。
【００９６】
目隠し部材１１１０の他端は、中間リンク１１２２と連結されており、中間リンク１１２２と目隠し部材１１１０も、相対的に折れ曲がり可能である。中間リンク１１２２の他端はインナーベース４０の端面に固定されている。中間リンク１１２２は、インナーベース４０に対して折れ曲がり可能である。なお、折れ曲がり可能になっている部材の折れ曲がり方向は、全てインナーベース４０の回転軸４１に対して垂直な平面内の方向である。
【００９７】
図１９は、４節リンク機構を構成する部材を説明する図である。図１９に示すように、インナーベース４０の回転軸４１と中間リンク１１２２が結合されている部分の間が原動節となる。中間リンク１１２２は中間節となり、目隠し部材１１１０が従動節となる。よって、インナーベース４０が回転すると、目隠し部材１１１０は、図１９に示す矢印方向に揺動運動する。
【００９８】
そして、インナーベース４０とともに回転する基板３０が最も立った状態となると、図２０に示すように、目隠し部材１１１０は、ベース６０の内部へ倒れた状態となる。このとき、図２０には図示していない切り欠き部１３は、結合用部材１１２１に対向する位置にあることから、目隠し部材１１１０は、ベース１０６０の低壁部１６０３側の端を支点として、他方の端が切り欠き部１３に対して接近離隔する方向に移動可能である。
【００９９】
図１８に示す状態は、図１８には図示していないケース１０が最も寝た状態であり、このとき、目隠し部材１１１０は切り欠き部１３の部分を塞いだ状態となる。一方、図２０に示す状態では、図２０には図示していない切り欠き部１３は、第１実施形態で説明した嵌合位置にある。このとき、目隠し部材１１１０は、ベース６０の内部へ倒れた状態となるので、ケース１０と干渉してしまうことが抑制できる。
【０１００】
＜第３実施形態＞
第３実施形態は、移動部２１２０の概略構成のみ示す。図２１が第３実施形態の移動部２１２０の概略図である。第２実施形態では、４節リンク機構により目隠し部材１１１０を移動させていたのに対して、第３実施形態では、スライダクランク機構により目隠し部材２１１０を移動させる移動部２１２０を備える。
【０１０１】
移動部２１２０は、スライダ２１２１を備える。スライダ２１２１は、目隠し部材２１１０をベース１０６０の低壁部１６０３に対して接近離隔する方向に案内する。目隠し部材２１１０には連接棒２１２２の一端が連結されている。連接棒２１２２の他端は、第２実施形態と同様に、インナーベース４０の端面に連結されている。これにより、インナーベース４０の連接棒２１２２が連結されている部分と回転軸４１との間がクランクとなるスライダクランク機構が構成される。
【０１０２】
このように、スライダクランク機構の移動部２１２０を用いても、第１、２実施形態と同様、切り欠き部１３の部分を目隠しすることができるとともに、目隠し部材２１１０がケース１０と干渉してしまうことも抑制できる。
【０１０３】
以上、本発明の実施形態を説明したが、本発明は上述の実施形態に限定されるものではなく、次の変形例も本発明の技術的範囲に含まれ、さらに、下記以外にも要旨を逸脱しない範囲内で種々変更して実施できる。
【０１０４】
＜変形例＞
第１実施形態では、押出面１２５は、インナーベース４０に形成されていた。しかし、インナーベース４０と基板３０は一体回転するので、押出面１２５を基板３０に形成してもよい（変形例１）。また、第２実施形態における中間リンク１１２２の一端を、インナーベース４０の端面ではなく基板３０の端面に結合してもよい（変形例２）。また、第３実施形態における連接棒２１２２の一端を、インナーベース４０の端面ではなく基板３０の端面に結合してもよい（変形例３）。
【符号の説明】
【０１０５】
１：光ビーコンユニット  １０：ケース  １１：上板部  １２：側壁部  １３：切り欠き部  ２０：電子部品  ３０：基板  ４０：インナーベース  ４１：回転軸  ４２ａ、４２ｂ：内側凸部  ４３：内側凹部  ４４：ロック用凹部  ４４ａ：開口縁  ５０：内部ユニット  ６０：ベース  ７０：リテーナ  ７１：ロック用凸部  ７１ａ：先端面  ７２：ベース板部  ７３：短棒部  ７４：長棒部  ７５：Ｕ字状バネ部  ７６：ロック爪  ７７：抜け防止爪  ７８：仮固定爪  ７９：操作用端部  ８０：ケーブル  ８１：線心  ８２：シース  ８２ａ：屈曲部  ９０：回転機構  ９１：ロック機構  １００：目隠し機構  １１０：目隠し部材  １２０：移動部  １２１：樹脂バネ部  １２２：連結部  １２３：ボス部  １２４：ガイド  １２５：押出面  １２６：押出用リブ  ６０１：底部  ６０２：横壁部  ６０３：低壁部  ６０５：軸受穴  ６０８：指逃げ部  ６０９：指逃げ部  ６１０：ベース凸部  ６１１：スリット  ６１２：ロック爪受部  ６１３：抜け防止爪受部  ６１４：仮固定爪受部  １０００：光ビーコンユニット  １０６０：ベース  １１１０：目隠し部材  １１２０：移動部  １１２１：結合用部材  １１２２：中間リンク  １６０３：低壁部  ２１１０：目隠し部材  ２１２０：移動部  ２１２１：スライダ  ２１２２：連接棒
【図１】
2018079803.tif 000003
【図２】
2018079803.tif 000004
【図３】
2018079803.tif 000005
【図４】
2018079803.tif 000006
【図５】
2018079803.tif 000007
【図６】
2018079803.tif 000008
【図７】
2018079803.tif 000009
【図８】
2018079803.tif 000010
【図９】
2018079803.tif 000011
【図１０】
2018079803.tif 000012
【図１１】
2018079803.tif 000013
【図１２】
2018079803.tif 000014
【図１３】
2018079803.tif 000015
【図１４】
2018079803.tif 000016
【図１５】
2018079803.tif 000017
【図１６】
2018079803.tif 000018
【図１７】
2018079803.tif 000019
【図１８】
2018079803.tif 000020
【図１９】
2018079803.tif 000021
【図２０】
2018079803.tif 000022
【図２１】
2018079803.tif 000023